(57)【特許請求の範囲】
【請求項１】
トイレルーム内に設置された手洗い器に取り付けられ、該手洗い器の外に飛散しようとする水滴を受け止める水はね防止具であって、
前記手洗い器のボウル部内に取り付けられ、凹面状の内面を有し、前記手洗い器に設けられた水栓が挿通される水栓孔と、前記ボウル部に設けられた排水口と連通する排水孔とを備えてなる椀状の水受ボウルを有し、
前記水受ボウルは、その高さが前記ボウル部の深さよりも高く形成されると共に、曲面状に形成され手前側に配置される前壁部と、該前壁部の両側に前記前壁部と連続的に形成された側壁部と、該側壁部と連続的に形成され前記前壁部に対向して配置される奥壁部と、前記前壁部、前記側壁部及び前記奥壁部の下方に連続的に形成・配置された底面部と、を有し、
前記水栓孔は前記奥壁部に、前記排水孔は前記底面部にそれぞれ形成され、
前記排水孔の裏面側には、前記排水口の内径よりも小径に形成されたガイドボスが突設され、前記水受ボウルを前記ボウル部上に取り付けたとき、前記ガイドボスは、前記排水口内に挿入され、
当該水はね防止具は、前記水栓孔内に前記水栓を挿通すると共に、前記ガイドボスを前記排水口内に挿入することにより、該水はね防止具が前記水栓を中心に回転することなく、前記水栓孔と前記ガイドボスの２箇所にて回転移動が規制された状態で前記手洗い器のボウル部内に取り付けられることを特徴とする水はね防止具。
【請求項２】
請求項１記載の水はね防止具において、
前記水受ボウルの外側に、当該水はね防止具を前記手洗い器に取り付けたとき、前記手洗い器の前記ボウル部内面に当接し、前記ボウル部と当該水はね防止具との間に隙間を形成する凸部を設け、
該凸部にて形成された前記隙間により、前記ボウル部と当該水はね防止具との間に流入した水を前記排水口に流出させると共に、前記ボウル部と当該水はね防止具との間に空気を流通させ前記ボウル部と当該水はね防止具の乾燥を促進することを特徴とする水はね防止具。
【請求項３】
請求項１又は２記載の水はね防止具において、
前記水受ボウルは透明な合成樹脂にて形成され、
前記水受ボウルの上縁部には、前記水受ボウルの上端縁の存在を明確にすると共に、前記水受ボウルの上端縁が利用者に直接触れないよう被覆すべく、柔軟かつ有色の合成樹脂製のカバー部材が装着されることを特徴とする水はね防止具。
【請求項４】
請求項１〜３のいずれか１項に記載の水はね防止具において、
前記水受ボウルは、その内面側に、前記水受ボウルと一体に形成された石鹸収容部を有し、
前記石鹸収容部は、周壁部に取り囲まれ石鹸が収容される凹部と、前記周壁部に切欠形成されたスリットと、を有し、
前記凹部は、前記排水孔に向かって下方に傾斜しており、
前記スリットは、前記周壁部の前記排水孔側に形成され、前記凹部内外を連通させて前記石鹸収容部内に溜まった水を前記石鹸収容部外に排水することを特徴とする水はね防止具。
【請求項５】
請求項１〜４のいずれか１項に記載の水はね防止具において、
前記水受ボウルの前記奥壁部には、当該水はね防止具を固定するための紐を挿通する貫通孔が形成され、
前記貫通孔は、前記水栓孔の両側にそれぞれ１個ずつ設けられていることを特徴とする水はね防止具。
【発明の詳細な説明】
【技術分野】
【０００１】
本発明は、トイレルーム内に設置された手洗い器に取り付けられる水はね防止具に関し、例えば、水洗トイレの水タンク上部に設けられた手洗い器に装着することにより、手洗いの際に手洗い器の周囲に水が飛散するのを防止する水はね防止具に関する。
【背景技術】
【０００２】
近年、住宅用トイレなどにおいては、水洗トイレの給水タンク上部や、トイレルーム内の側壁、サイドカウンター等に手洗い器が設けられている。このような手洗い器は、通常、手洗い水が吐出する水栓と、手洗い水を流すためのボウルを備えている。ところが、トイレルーム内の手洗い器では、手洗い時に水滴が周囲に飛び散り、便座やトイレルームの床・壁、使用者の衣服などが濡れてしまうという問題があった。
【０００３】
そこで従来より、水はね防止具として、特許文献１のように、給水タンクの前面に蛇腹状に開閉可能な水はねガードを設けたり、特許文献２のように、手洗い器のボウル背面にガードパネルを設けたりした手洗い器が提案されている。また、特許文献３のように、ボウルを奥行きが狭く深い形状とすることにより、手洗い水の飛散を抑えた手洗い器も提案されている。
【先行技術文献】
【特許文献】
【０００４】
【特許文献１】特開２００８−２００３９４号公報
【特許文献２】特開２００５−２６４５４３号公報
【特許文献３】特開２００１−６５０３０号公報
【発明の概要】
【発明が解決しようとする課題】
【０００５】
しかしながら、従来の水はね防止具は、例えば、特許文献１の手洗い装置は、大掛かりな装置を別置きする構成となっており、既存のトイレに簡単に設置できるようにはなっていない。また、特許文献２の手洗い器は、側壁など背後への水はねは防止できるものの、前面側への水はねは防止できず、使用者や便座、床などへの水濡れは避けられない。特に、便座の水濡れは、次のトイレ使用者に多大な不快感を与えるため、その回避が求められる。この場合、便座を起こし便座ふたと共に立て掛けた状態としても、便座と便座ふたの間に手洗い器から飛散した水が入り込み、便座が濡れてしまうおそれがある。このため、便座の濡れを防止するには、便器側への水はね自体を抑止する必要がある。一方、特許文献３の手洗い器は、深いボウル内にて手を洗うため、ボウル外への水はねを抑えることが可能ではあるものの、給水タンク上部には形成しにくく、既存のトイレには後付けできない。
【０００６】
本発明の目的は、手洗い時の水飛沫により、トイレルームの床や壁、使用者の衣服などが濡れてしまうのを防止でき、しかも、トイレルーム内の既存の手洗い器にも設置可能な水はね防止具を提供することにある。
【課題を解決するための手段】
【０００７】
本発明の水はね防止具は、トイレルーム内に設置された手洗い器に取り付けられ、該手洗い器の外に飛散しようとする水滴を受け止める水はね防止具であって、前記手洗い器のボウル部内に取り付けられ、凹面状の内面を有し、前記手洗い器に設けられた水栓が挿通される水栓孔と、前記ボウル部に設けられた排水口と連通する排水孔とを備えてなる椀状の水受ボウルを有し、前記水受ボウルは、その高さが前記ボウル部の深さよりも高く形成されると共に、曲面状に形成され手前側に配置される前壁部と、該前壁部の両側に前記前壁部と連続的に形成された側壁部と、該側壁部と連続的に形成され前記前壁部に対向して配置される奥壁部と、前記前壁部、前記側壁部及び前記奥壁部の下方に連続的に形成・配置された底面部と、を有し、前記水栓孔は前記奥壁部に、前記排水孔は前記底面部にそれぞれ形成され、前記排水孔の裏面側には、前記排水口の内径よりも小径に形成されたガイドボスが突設され、前記水受ボウルを前記ボウル部上に取り付けたとき、前記ガイドボスは、前記排水口内に挿入され、当該水はね防止具は、前記水栓孔内に前記水栓を挿通すると共に、前記ガイドボスを前記排水口内に挿入することにより、該水はね防止具が前記水栓を中心に回転することなく、前記水栓孔と前記ガイドボスの２箇所にて回転移動が規制された状態で前記手洗い器のボウル部内に取り付けられることを特徴とする。
【０００８】
本発明にあっては、当該水はね防止具をボウル部に装着することにより、手洗いの際に飛び散る水滴を水受ボウルにて受け止め、回収し、排水口へと流すことができる。このため、ボウル部外に水滴が飛散するのを抑えることができ、便座やトイレルームの床・壁、使用者の衣服などが濡れてしまうのを防止できる。特に、便座の倒立状態に関わらず、便座への水はねを防止でき、トイレ使用者の不快感を大幅に低減できる。また、前記水受ボウルを椀状に形成し、該水受ボウルの高さを、前記ボウル部の深さよりも高く形成することにより、水受ボウル上端がボウル部の上方まで立ち上がり、手洗い時に四方八方に飛散する水滴が効果的に水受ボウルに受け止められる。
【０００９】
前記水はね防止具において、前記水受ボウルの外側に、当該水はね防止具を前記手洗い器に取り付けたとき、前記手洗い器の前記ボウル部内面に当接し、前記ボウル部と当該水はね防止具との間に隙間を形成する凸部を設け、該凸部にて形成された前記隙間により、前記ボウル部と当該水はね防止具との間に流入した水を前記排水口に流出させると共に、前記ボウル部と当該水はね防止具との間に空気を流通させ前記ボウル部と当該水はね防止具の乾燥を促進するようにしても良い。
【００１０】
また、前記水受ボウルを透明な合成樹脂にて形成し、前記水受ボウルの上縁部に、前記水受ボウルの上端縁の存在を明確にすると共に、前記水受ボウルの上端縁が利用者に直接触れないよう被覆すべく、柔軟かつ有色の合成樹脂製のカバー部材を装着しても良い。これにより、水受ボウルの上端縁の存在が明確となり、手洗いの際に使用者が上端縁にぶつからないよう注意喚起できる。また、デザイン上のアクセントともなり、水はね防止具の意匠的な美観も向上する。この場合、前記水受ボウルの上縁部に、長手方向に沿って複数個のテープ挿入孔を形成し、該テープ挿入孔を、前記カバー部材を前記水受ボウルの上縁部に装着したとき、前記カバー部材の下縁近傍に開口させ、前記テープ挿入孔に、前記カバー部材を前記水受ボウルの上縁部に装着した状態で、前記カバー部材脱落防止用のテープが取り付け、前記テープを前記テープ挿入孔に挿入しつつ前記カバー部材に巻き付けることにより、前記カバー部材を前記水受ボウルの上端部に固定するようにしても良い。
【００１１】
前記水受ボウルの内面側に、前記水受ボウルと一体に石鹸収容部を形成しても良く、これにより、特に別製品を配置することなく、手洗い器に石鹸を置くことができる。この場合、前記石鹸収容部に、周壁部に取り囲まれ石鹸が収容される凹部と、前記周壁部に切欠形成されたスリットと、を設けると共に、前記凹部を前記排水孔に向かって下方に傾斜させ、前記スリットを前記周壁部の前記排水孔側に形成し、前記凹部内外を連通させて前記石鹸収容部内に溜まった水を前記石鹸収容部外に排水させるようにしても良い。
【００１２】
前記水はね防止具を、水洗トイレの給水タンクの上部に設けられた手洗い器に取り付けても良く、その際、前記水受ボウルの前記両側壁部の外面側にそれぞれ、吸盤を備えたストッパを設け、前記２個のストッパの前記吸盤を前記給水タンクの両側面にそれぞれ吸着させることにより、当該水はね防止具を前記手洗い器に固定するようにしても良い。これにより、給水タンク上の手洗い器に水はね防止具を安定的に固定できる。
【００１３】
前記水受ボウルの前記奥壁部に、当該水はね防止具を固定するための紐を挿通する貫通孔を形成すると共に、前記貫通孔を前記水栓孔の両側にそれぞれ１個ずつ設けても良い。この場合、紐の他端はトイレルームの壁面などに固定する。これにより、水受ボウルの揺れ動きを抑制し、より安定的に水はね防止具を手洗い器のボウル部上に取り付けることが可能となる。
【発明の効果】
【００１５】
本発明によれば、トイレルーム内に設置された手洗い器のボウル部内に、凹面状の内面を有する水受ボウルを有する水はね防止具を取り付けることにより、手洗いの際に飛び散る水滴を水受ボウルにて受け止めることができる。従って、手洗いの際に水滴がボウル部外に飛散してしまうのを抑えることができ、ボウル部の周囲に水滴が飛び散り、便座やトイレルームの床・壁、使用者の衣服などが濡れてしまうという事態を防止することが可能となる。また、本発明の水はね防止具は、特別な工事や別の設備等を必要とすることなく、トイレルーム内の既存の手洗い器にも容易に設置できるので、低コストにてボウル部やトイレルームを清潔に保つことが可能となる。
【図面の簡単な説明】
【００１６】
【図１】本発明の実施例１である水はね防止具の使用状態を示す斜視図である。
【図２】図１の水はね防止具の拡大斜視図である。
【図３】図１の水はね防止具の構成を示す図面であり、（ａ）は平面図、（ｂ）は正面図、（ｃ）は右側面図である。
【図４】エッジカバーの取付構造を示す説明図であり、（ａ）はその正面図、（ｂ）は（ａ）のＡ−Ａ線に沿った断面図である。
【図５】ボスと水受面との当接部の構成を示す説明図である。
【図６】本発明の実施例２である水はね防止具におけるエッジカバー固定部の構成を示す説明図であり、（ａ）はその正面図、（ｂ）は（ａ）のＡ−Ａ線に沿った断面図である。
【図７】図６の水はね防止具にて使用される固定片の構成を示す説明図である。
【図８】固定片によってエッジカバーを取り付ける手順を示す説明図である。
【図９】本発明の実施例３である水はね防止具におけるエッジカバーの取付構造を示す説明図であり、（ａ）は水受板の内側からエッジカバー固定部を見た状態、（ｂ）は水受板の外側からエッジカバー固定部を見た状態をそれぞれ示している。
【図１０】エッジカバー固定部の構成を示す断面図である。
【図１１】図９の水はね防止具にて使用される固定フックの構成を示す説明図である。
【発明を実施するための形態】
【００１７】
以下、本発明の実施例を図面に基づいて詳細に説明する。
【実施例１】
【００１８】
図１は、本発明の実施例１である水はね防止具１の使用状態を示す斜視図、図２は、図１の水はね防止具１の拡大斜視図である。また、図３は、図１の水はね防止具の構成を示す図面であり、（ａ）は平面図、（ｂ）は正面図、（ｃ）は右側面図である。水はね防止具１は、トイレルーム内に設けられた手洗い器２に設置される。図１に示すように、当該実施例の水はね防止具１は、水洗トイレの給水タンク３の上部に設けられた手洗い器２に取り付けられる。水はね防止具１全体の高さＸ（図３（ｂ）参照）は、ボウル部４の深さよりも高くなっている（概ね２〜３倍程度）。
【００１９】
手洗い器２は、手洗い用のボウル部４と、手洗い水が吐出する水栓５と、ボウル部４内の水を排水する排水口６を備えている。ボウル部４は、給水タンク３の上部に載置されるタンク上蓋７の上面側に凹設されている。ボウル部４の内側は、排水口６に向かって下る曲面状の斜面となっている。水栓５は、ボウル部４の使用者側から見て奥側から、ボウル部４の中心側に向かって伸びており、上方に向かって斜めに延びる導水管８を備えている。導水管８の先端には、下方に開口する吐水口９が設けられている。排水口６は、ボウル部４の中心最深部に開口形成されている。タンク上蓋７を給水タンク本体１１上に載置すると、排水口６はタンク本体１１内の空間と連通する。
【００２０】
給水タンク本体１１の側面には、フラッシュレバー１２が取り付けられている。フラッシュレバー１２を操作すると、吐水口９から手洗水が流出する。吐水口９から流出した手洗い水は、使用者の手洗いに供された後、ボウル部４内に流れ、排水口６から給水タンク本体１１内へと排出される。給水タンク本体１１内に流入した水は、フラッシュレバー１２の操作に伴い、適宜、便器１３の洗浄に使用される。
【００２１】
水はね防止具１は、図１〜５に示すように、凹面状の内面を有する水受ボウル２１によって形成されている。水受ボウル２１は、手洗い器２のボウル部４と略同形の椀状となっている。水受ボウル２１には、曲面状の前壁部２１ａ・側壁部２１ｂ,２１ｃ・奥壁部２１ｄと、略平面状の底面部２１ｅが設けられている。水受ボウル２１は、合成樹脂材料を用いて一体に成型されており、前壁部２１ａと側壁部２１ｂ,２１ｃ、奥壁部２１ｄ、底面部２１ｅは、継ぎ目なく連続的に形成されている。水受ボウル２１の材料としては、例えば、透明なＰＥＴ（ポリエチレンテレフタレート）や塩化ビニル等の合成樹脂が用いられる。
【００２２】
奥壁部２１ｄの中央部やや下方には、水栓５が挿通される水栓孔２２が開口形成されている。水はね防止具１は、この水栓孔２２に導水管８を挿通することにより、図１に示すように、ボウル部４上に取り付けられる。水受ボウル２１の底面部２１ｅには、排水孔２３が形成されている。排水孔２３の裏面側（ボウル部４と対向する面側）には、外側に向かって突出するガイドボス２４が形成されている。
【００２３】
ガイドボス２４の外径は、排水口６の内径よりも小径に形成されている。ボウル部４上に水はね防止具１を取り付けると、排水孔２３は排水口６の上方に配される。その際、ガイドボス２４は排水口６内に挿入され、ガイドボス２４は排水口６内に遊嵌状態で挿入される。このように、ガイドボス２４を排水口６内に挿入すると、水はね防止具１は、水栓孔２２（導水管８が挿通）と、ガイドボス２４の２箇所で移動が規制される。従って、水はね防止具１が導水管８を中心に回転することがなく、水はね防止具１は、ボウル部４上に安定的に載置される。
【００２４】
奥壁部２１ｄにはまた、２つの貫通孔２５が形成されている。貫通孔２５は、水栓孔２２の両側にそれぞれ形成されており、各貫通孔２５は、水栓孔２２から水受ボウル２１の幅方向にほぼ等間隔の位置に開口している。貫通孔２５は、水受ボウル２１を安定させるために設けられており、万一、水受ボウル２１の取付状態が安定しない場合には、図２に示すように、貫通孔２５に紐２６の一端を結びつける。そして、トイレルームの壁面などに紐２６の他端を固定することにより、水受ボウル２１の揺れ動きを抑制し、より安定的に水はね防止具１をボウル部４上に取り付けることが可能となる。
【００２５】
水受ボウル２１の側壁部２１ｂ,２１ｃの外面側には、水はね防止具１をボウル部４上に固定するためのストッパ２７が設けられている。ストッパ２７は、シート状のフィルム部材からなるストッパ本体２７ａと、ストッパ本体２７ａの先端部（下端部）に取り付けられた吸盤２８を備えた構成となっている。ストッパ本体２７ａは、ＰＥＴや塩化ビニル等の透明な合成樹脂にて形成されており、側壁部２１ｂ,２１ｃの上部に、接着剤やハトメ、タグピンなどにて固定されている。吸盤２８は、ストッパ本体２７ａに形成された吸盤取付孔２９に装着される。吸盤取付孔２９に装着された吸盤２８は、吸盤固定ピン３１によって抜け止め固定される。吸盤２８には、ピン孔３２が設けられており、吸盤固定ピン３１はピン孔３２に挿入固定される。なお、ストッパ本体２７ａとしては、シート状のフィルム部材以外に、紐やチェーン（金属又は合成樹脂）、ゴムなどを使用しても良い。
【００２６】
水受ボウル２１には、球面状のボス（凸部）３３が複数個形成されている。ボス３３は水受ボウル２１の裏面側に突設されており、外方に向かって突出している。ボス３３は、底面部２１ｅの手前側に２個、奥側に１個設けられている。ボウル部４に水はね防止具１を取り付けると、ボス３３の頂部が、ボウル部４の水受面（内面）４ａに対向・当接し、ボウル部４と水はね防止具１との間に隙間４６が形成される。このように、水はね防止具１では、全体がボウル部４と密着せず、両者間に隙間４６が形成されるため、水はね防止具１とボウル部４との間に水が流れ込んでも、その水は支障なく排水口６に流出する。また、水はね防止具１とボウル部４との間に隙間４６が存在するため、両者間に空気が流通し、ボウル部４や水はね防止具１が容易に乾燥する。従って、ボウル部４や水はね防止具１に発生するカビやヌメリ、変色などを防止でき、掃除の手間が掛からず、衛生状態も良好に保たれる。
【００２７】
水受ボウル２１にはさらに、石鹸入れ（石鹸収容部）３４が形成されている。石鹸入れ３４は、水栓孔２２の向かって右側、すなわち、奥壁部２１ｄの右端側に突設されている。石鹸入れ３４は、周壁部３５に取り囲まれた四角形状となっており、周壁部３５の内側は、石鹸を収容するための凹部３６となっている。周壁部３５の上縁部３５ａは、逆Ｕ字形に折り曲げられた曲面状に形成されており、利用者が石鹸入れ３４の上端縁にぶつかっても、利用者が不快感を抱かないようになっている。周壁部３５の手前側には、排水用のスリット３７が形成されている。凹部３６は、図５に示すように、手前側に向かって下方に傾斜しており、石鹸入れ３４内に溜まった水は、スリット３７から排出される。なお、石鹸入れ３４の形状は四角形には限定されず、円形やハート形など、意匠的な観点も含め適宜変更可能である。
【００２８】
水受ボウル２１の上端部には、合成樹脂製のエッジカバー（カバー部材）４１が取り付けられている。図４は、エッジカバー４１の取付構造を示す説明図であり、（ａ）はその正面図、（ｂ）は（ａ）のＡ−Ａ線に沿った断面図である。エッジカバー４１は、塩化ビニルのような柔軟性のある合成樹脂にて形成されており、例えば、半透明な水色に着色されている。図４に示すように、エッジカバー４１は断面が略Ｕ字形となっており、その中央には装着溝（溝部）４２が形成されている。エッジカバー４１は、水受ボウル２１の上縁部４３を装着溝４２に挿入する形で、水受ボウル２１の上端部に装着される。なお、エッジカバー４１の透明度や色彩は、前述の「半透明／水色」には限定されず、不透明や他の色彩（例えば、赤や黄色など）とすることも可能である。
【００２９】
水受ボウル２１の上縁部４３には、長手方向に沿って、テープ挿入孔４４が複数個形成されている。テープ挿入孔４４は、エッジカバー脱落防止用のテープ４５を取り付けるために設けられている。テープ挿入孔４４には、エッジカバー４１を上縁部４３に装着した状態でテープ４５が取り付けられる。そして、テープ４５をテープ挿入孔４４に挿入しつつエッジカバー４１に複数回巻き付けることにより、エッジカバー４１は、水受ボウル２１の上縁部４３を挟持しつつ、水受ボウル２１の上端部に固定される。なお、図４（ｂ）では、理解を容易にするため、テープ４５の厚みを誇張して示している。また、同図では、テープ４５が１回巻装されている様子が示されているが、実際は、テープ４５を複数回巻装することが好ましい。
【００３０】
このような柔軟・有色のエッジカバー４１を透明な水受ボウル２１に取り付けることにより、水受ボウル２１の上端縁の存在が明確となる。このため、手洗いの際に利用者の手が上端縁にぶつからないように注意喚起することができる。また、万一、利用者が上端縁にぶつかった場合でも、エッジカバー４１が柔軟素材にて形成されているため、エッジのままの製品に比して、利用者の不快感も大幅に軽減される。さらに、板材に割れが生じた場合でも、割れ目がエッジカバー４１によって覆われ露出しないため、割れ部分に手が当たってしまうことがない。従って、当該水はね防止具１は、利用者の使用感が損なわれず、子供や高齢者でも安心して手洗いを行うことが可能となる。
【００３１】
加えて、有色のエッジカバー４１は、透明な水受ボウル２１に対してデザイン上のアクセントともなる。従って、水はね防止具１の意匠的な美観も向上し、デザイン上の特徴を構成しつつ、利用者の使い勝手の向上を図ることが可能となる。
【００３２】
一方、当該水はね防止具１は、次のようにしてボウル部４に取り付けられる。図１に示すように、水はね防止具１は、水受ボウル２１の水栓孔２２に水栓５の導水管８を挿入する形でボウル部４に取り付けられる。この場合、水はね防止具１は、導水管８に沿って装着され、水受ボウル２１がボウル部４の底面に接触し、ガイドボス２４が排水口６内に挿入されるまで押し込まれる。そして、水受ボウル２１をボウル部４上に取り付けた後、ストッパ２７の吸盤２８を、給水タンク本体１１の側面に吸着させる。これにより、水はね防止具１は、水栓５に取り付けられる形で、ボウル部４上に安定的に固定される。なお、万一、水受ボウル２１の取付状態が安定しない場合には、前述のように、貫通孔２５に紐２６を取り付け、それをトイレルームの壁面などに固定しても良い。
【００３３】
水はね防止具１をこのようにしてボウル部４に取り付けると、水受ボウル２１の裏面に形成されたボス３３がボウル部４の水受面４ａに当接する。図５は、ボス３３と水受面４ａとの当接部の構成を示す説明図である。図５に示すように、ボス３３の頂部が水受面４ａに当接すると、水受ボウル２１とボウル部４との間に隙間４６が形成される。これにより、水はね防止具１と水受面４ａとの間には、ボウル部４の仕様によらず、一定の距離（ボス３３の高さＨ）を持った間隙が確実に形成される。この場合、水受ボウル２１は、前述のように、吸盤２８によってしっかりとボウル部４上に固定されるため、水受ボウル２１がばたつかず、隙間４６も安定的に形成される。従って、水はね防止具１とボウル部４が密接しにくくなり、両者間内の水が容易に流出し、ボウル部４や水はね防止具１も汚れにくくなる。
【００３４】
なお、図１の水はね防止具１では、ガイドボス２４が排水口６に遊嵌状態で取り付けられるため、ガイドボス２４と排水口６の間には隙間が残存している。この隙間は、水受ボウル２１とボウル部４との間に生じる隙間４６と連通しており、隙間４６を流れる水も排水口６から適宜流出する。従って、水はね防止具１を取り付けた状態でも、隙間４６からの排水が阻害されず、水受ボウル２１とボウル部４との間に水が溜まってしまうことはない。
【００３５】
このようなボウル部４では、フラッシュレバー１２を操作すると、水栓５の吐水口９から水道水が流出する。前述のように、水はね防止具１を取り付けない場合、手洗いやボウル部４からの跳ね返りにより、水滴がボウル部４から四方八方に飛び散る。これに対し、水はね防止具１を図１のようにボウル部４に装着すると、四方八方に飛散する水滴は、ボウル部４の上方まで立ち上がった水受ボウル２１に受け止められる。水受ボウル２１に受け止められた水滴は、その後、重力によって水受ボウル２１の下方に案内され、排水孔２３を介して、排水口６から給水タンク本体１１内へと排出される。
【００３６】
従って、本発明による水はね防止具１をボウル部４に装着することにより、手洗いの際に飛び散る水滴をボウル部４外に飛散させることなく水受ボウル２１内に回収し、排水口６へと流すことができる。このため、ボウル部４の周囲に水滴がかかることがなく、便座やトイレルームの床・壁、使用者の衣服などが濡れてしまうのを防止できる。特に、便座の倒立状態に関わらず便座への水はねを防止できるので、便座の水濡れにより、次のトイレ使用者が感じる不快感を大幅に低減することが可能となる。
【００３７】
また、ボウル部４の汚れも防止でき、重いタンク上蓋７を取り外すことなく、トイレ清掃時も、水はね防止具１のみを洗浄すれば良く、トイレ掃除の負担軽減も図られる。さらに、当該水はね防止具１は、特別な工事や別の設備等を必要とすることなく、トイレルーム内の既存の手洗い器にも容易に設置でき、低コストにてボウル部４やトイレルームを清潔に保つことが可能となる。
【実施例２】
【００３８】
次に、本発明の実施例２である水はね防止具５１について説明する。図６は、本発明の実施例２である水はね防止具におけるエッジカバー固定部の構成を示す説明図である。水はね防止具５１では、エッジカバー４１を水受ボウル２１の上縁部２１ｆに装着するに当たり、実施例１のテープ４５に代えて、図７のような固定片５２を使用している。固定片５２は、概ね、幅Ｗａ１０ｍｍ×長さＬ５０ｍｍ×厚さｔ０.２ｍｍ程度の合成樹脂シートであり、上縁部２１ｆに複数個形成された固定片取付孔５３に挿入される。なお、以下の実施例では、実施例１と同様の部材、部分については同一の符号を付し、その説明は省略する。
【００３９】
固定片５２は、帯状のシート片５４と、シート片５４の一端側に形成されたきのこ形状のフック部５５と、シート片５４の他端側に形成された半円形の尾端部５６とを有している。フック部５５は、半円形の頭端部５７と、固定片５２のシート片５４から幅方向に張り出す形で設けられた係止部５８とから構成されている。一方、固定片５２の他端側も半円形の尾端部５６となっている。つまり、固定片５２は両端が曲線状に形成されており、組付作業時や防止具使用時に、作業者や利用者が固定片５２によって怪我を負わないよう安全性が考慮されている。固定片５２の尾端部５６側には、３本の折り目５９ａ〜５９ｃ（第１の折り目〜第３の折り目）が付けられている。固定片５２は、各折り目５９ａ〜５９ｃに沿って折り曲げることができるようになっている。
【００４０】
図８は、固定片５２によってエッジカバー４１を取り付ける手順を示す説明図である。ここではまず、図８（ａ）のように、固定片５２の尾端部５６を水受ボウル２１の内側から固定片取付孔５３に挿入する。次に、折り目５９ａを折り曲げた後、折り目５９ｃに沿って、尾端部５６を上縁部２１ｆを越える形で水受ボウル２１の内側に折り曲げる（図８（ｂ））。その状態で、折り目５９ａから先の尾端部５６を固定片取付孔５３に挿入する（図８（ｃ））。そして、尾端部５６が固定片取付孔５３から抜け出ないように押さえつつ、頭端部５７を引っ張り、折り目５９ｂを折り曲げる（図８（ｄ））。これにより、固定片取付孔５３に挿入された固定片５２のシート片５４が、折り目５９ａ〜５９ｃが折り曲げられた状態で、上縁部２１ｆに巻き付いて保持される。
【００４１】
固定片５２を固定片取付孔５３に挿入し、上縁部２１ｆに巻き付かせた後、上縁部２１ｆにエッジカバー４１を取り付ける（図８（ｅ））。そして、エッジカバー４１を覆うように、頭端部５７を水受ボウル２１の内側から外側に巻き付け（図８（ｆ））、フック部５５を固定片取付孔５３に挿入し係合させる（図８（ｇ））。固定片取付孔５３は台形状となっており、フック部５５が入れやすく、抜けにくい形状となっている。この場合、固定片取付孔５３の上底部５３ａは、固定片５２のシート片５４よりも若干大きい寸法Ｗｕとなっている（Ｗｕ＞Ｗａ）。これに対し、下底部５３ｂの幅Ｗｄは、上底部５３ａより広いが、係止部５８の幅Ｗｋよりは小さくなっている（Ｗｄ＜Ｗｋ）。従って、フック部５５は、固定片取付孔５３に下底部５３ｂ側から斜めに挿入され、その後、孔から出た係止部５８が固定片取付孔５３の側縁５３ｃに引っ掛かり抜け止めされる。これにより、固定片５２は、エッジカバー４１の周りに巻き付いた状態で固定片取付孔５３に固定され、エッジカバー４１は、水受ボウル２１の上縁部２１ｆを挟持しつつ、水受ボウル２１の上端部に固定される。
【実施例３】
【００４２】
さらに、本発明の実施例３である水はね防止具６１について説明する。図９は、本発明の実施例３である水はね防止具６１におけるエッジカバーの取付構造を示す説明図であり、（ａ）は水受ボウル２１の内側から、（ｂ）は水受ボウル２１の外側からエッジカバーの固定部を見た状態を示している。また、図１０はエッジカバー固定部の構成を示す断面図、図１１は実施例３の水はね防止具６１にて使用される固定フック６２の構成を示す説明図である。
【００４３】
図９〜１１に示すように、水はね防止具６１では、図１１の固定フック６２を使用してエッジカバー４１を固定している。固定フック６２は、断面が略Ｕ字状となった合成樹脂部材であり、エッジカバー４１の外側を覆う形で水はね防止具６１に装着される。固定フック６２の一端側には係合ボス６３が突設されており、係合ボス６３は、水受ボウル２１に形成されたフック取付孔６４に挿入嵌合される。係合ボス６３は、スリット６５によって上下に分割されている。また、係合ボス６３の中央にはピン挿入孔６６が形成されている。固定フック６２の係合ボス６３の裏面側には、円形の凹部６７が設けられている。
【００４４】
水はね防止具６１では、まず、水受ボウル２１の上縁部２１ｆにエッジカバー４１を取り付ける。次に、フック取付孔６４の位置に合わせて、エッジカバー４１上に固定フック６２を装着する。そして、係合ボス６３をフック取付孔６４に挿入し、固定フック６２を水受ボウル２１に固定する。その際、係合ボス６３は、その先端部を窄める形でフック取付孔６４に挿入される。フック取付孔６４に挿入された係合ボス６３は、フック取付孔６４を抜けたところでスナップフィット状に先端部が開く。これにより、係合ボス６３は水受ボウル２１に抜け止めされる。その後、係合ボス６３が閉じて水受ボウル２１から抜け出てしまうのを防止するため、ピン挿入孔６６に脱落防止ピン６８を挿入する。
【００４５】
脱落防止ピン６８は、一端側がキノコ状の頭端部６８ａ、他端側がフランジ部６８ｂとなっている。脱落防止ピン６８は、頭端部６８ａからピン挿入孔６６に圧入気味に挿入される。そして、頭端部６８ａが凹部６７内に抜け出たところで、頭端部６８ａがピン挿入孔６６の開口縁に引っ掛かり抜け止めされる。一方、フランジ部６８ｂはピン挿入孔６６よりも大径となっており、頭端部６８ａが凹部６７内に抜け出たところで、係合ボス６３の先端部に当接するようになっている。このように、水はね防止具６１では、固定フック６２をエッジカバー４１上に嵌め込んで、係合ボス６３をフック取付孔６４に挿入し、脱落防止ピン６８を装着するだけで容易にエッジカバー４１を水受ボウル２１の上縁部２１ｆに固定することができる。
【００４６】
本発明は前記実施例に限定されるものではなく、その要旨を逸脱しない範囲で種々変更可能であることは言うまでもない。
例えば、前述の実施例では、水受ボウル２１の上縁部４３にエッジカバー４１を取り付ける構成を示したが、水受ボウル２１とエッジカバー４１を一体に成形した形態を採用することも可能である。この場合、水受ボウル２１とエッジカバー４１を前述同様の別素材にて二色成形しても良いが、同一素材にて、エッジカバー４１相当形状を上縁部４３に拡大形成しても良い。
【００４７】
また、水受ボウル２１とエッジカバー４１の固定方法は、前述のテープ４５には限定されず、接着剤を用いて両者を固定しても良い。その場合、前述のテープ挿入孔４４を接着剤溜まりとして使用し、その部位に接着を塗布するようにしても良く、テープ４５と接着剤を併用することも可能である。さらに、Ｕ字形のクリップや、ハトメ、タグピンなどを用いて水受ボウル２１にエッジカバー４１を固定しても良い。
【００４８】
加えて、ボス３３の形成位置や個数は前述の態様には限定されず、ボス３３の形状も略半球状には限定されない。すなわち、ボス３３を、底面部２１ｅ以外の前壁部２１ａや側壁部２１ｂ,２１ｃ、奥壁部２１ｄに設けても良く、その個数も任意である。また、ボス形状も、長手方向が長円形状となった凸部や、星形の凸部など任意の形状を採用可能である。さらに、ボス全体が球面状でなくとも良く、ボス上端を平面状に形成しても良い。
【００４９】
一方、前述の実施例では、水はね防止具１を長方形状のボウル部４に取り付けているが、水受ボウル２１の形状を適宜変更することにより、楕円形や正方形など各種形状の手洗い器に本発明の水はね防止具１は取り付け可能である。すなわち、水はね防止具１の形状は、図示する形状に限られることはなく、手洗い器の形状に応じて適宜変更しても良い。
【００５０】
さらに、前述の実施例では、水受ボウル２１をＰＥＴ樹脂にて形成しているが、水受ボウル２１の材料はＰＥＴ樹脂限られることはなく、耐水性を備える材料であれば他の材料を用いて水受ボウル２１を形成しても良い。また、貫通孔２５の紐２６に関しても、前述のように、他端を壁面に固定するのではなく、他端側に吸盤やねじ部材を取り付け、それらをトイレルームの壁面に固定することにより、水受ボウル２１の取付状態を安定させても良い。なお、貫通孔２５の部位に吸盤を取り付け、ボウル部４の水受面４ａに吸着させても良い。
【符号の説明】
【００５１】
１    水はね防止具
２    手洗い器
３    給水タンク
４    ボウル部
４ａ  水受面
５    水栓
６    排水口
７    タンク上蓋
８    導水管
９    吐水口
１１    給水タンク本体
１２    フラッシュレバー
１３    便器
２１    水受ボウル
２１ａ  前壁部
２１ｂ,２１ｃ  側壁部
２１ｄ  奥壁部
２１ｅ  底面部
２１ｆ  上縁部
２２    水栓孔
２３    排水孔
２４    ガイドボス
２５    貫通孔
２６    紐
２７    ストッパ
２７ａ  ストッパ本体
２８    吸盤
２９    吸盤取付孔
３１    吸盤固定ピン
３２    ピン孔
３３    ボス（凸部）
３４    石鹸入れ
３５    周壁部
３５ａ  上縁部
３６    凹部
３７    スリット
４１    エッジカバー（カバー部材）
４２    装着溝
４３    上縁部
４４    テープ挿入孔
４５    テープ
４６    隙間
５１    水はね防止具
５２    固定片
５３    固定片取付孔
５３ａ  上底部
５３ｂ  下底部
５３ｃ  側縁
５４    シート片
５５    フック部
５６    尾端部
５７    頭端部
５８    係止部
５９ａ〜５９ｃ    折り目（第１の折り目〜第３の折り目）
６１    水はね防止具
６２    固定フック
６３    係合ボス
６４    フック取付孔
６５    スリット
６６    ピン挿入孔
６７    凹部
６８    脱落防止ピン
６８ａ  頭端部
６８ｂ  フランジ部
Ｘ      水はね防止具高さ
Ｈ      ボス高さ
【図１】
0005859744.tif 000002
【図２】
0005859744.tif 000003
【図３】
0005859744.tif 000004
【図４】
0005859744.tif 000005
【図５】
0005859744.tif 000006
【図６】
0005859744.tif 000007
【図７】
0005859744.tif 000008
【図８】
0005859744.tif 000009
【図９】
0005859744.tif 000010
【図１０】
0005859744.tif 000011
【図１１】
0005859744.tif 000012